(57)【要約】【課題】  ミシンカバーを含めた全体としてより小型化可能なミシンを提供する。【解決手段】  ミシン１０は、上面にベッド面２１ａが形成されたベッド部２１と、ベッド部の基端部から立設された脚柱部２２と、脚柱部からベッド部の上方においてベッド部の先端側に延びるアーム部２３とを有するミシン本体１１と、ベッド部に取り付けられ、ミシン本体の両側面、上面及び下面を包囲するように被覆する板状のミシンカバー１２とを備える。ミシンカバー１２は、ベッド面の高さで折り返される折り部Ｆ１，Ｆ２を有する。【選択図】      図４
2006230773.tif 000002
【特許請求の範囲】
【請求項１】
上面にベッド面が形成されたベッド部と、該ベッド部の基端部から立設された脚柱部と、該脚柱部から前記ベッド部の上方において該ベッド部の先端側に延びるアーム部とを有するミシン本体と、
前記ベッド部に取り付けられ、該ベッド部の長手方向に正対して見たときの前記ミシン本体の両側面、上面及び下面を包囲するように被覆する板状のミシンカバーとを備え、
前記ミシンカバーは、前記ベッド面の高さで折り返される折り部を有することを特徴とするミシン。
【請求項２】
請求項１に記載のミシンにおいて、
前記ミシンカバーは、前記ベッド面の高さ分だけ該ベッド面から下方に傾斜するように折り返されることを特徴とするミシン。
【請求項３】
請求項１又は２に記載のミシンにおいて、
前記ミシンカバーは、前記ミシン本体の一方の側面及び上面を被覆する第１カバー部と、前記ミシン本体の他方の側面を被覆する第２カバー部とを備え、
前記折り部は、前記両第１及び第２カバー部に設けられていることを特徴とするミシン。
【請求項４】
請求項１〜３のいずれか1項に記載のミシンにおいて、
前記ミシンカバーの形成する空間内に、裁縫道具箱を収容したことを特徴とするミシン。
【請求項５】
請求項１〜４のいずれか１項に記載のミシンにおいて、
前記ベッド部の先端部には、前記ミシン本体の下面から上方に切り欠かれた切り欠き部が形成されていることを特徴とするミシン。
【発明の詳細な説明】
【技術分野】
【０００１】
本発明は、ミシン本体を被覆するカバーとしての機能と、縫製時に縫製作業面を拡大する補助テーブルとしての機能とを併せ有するミシンカバーを備えたミシンに関するものである。
【背景技術】
【０００２】
従来、ミシンとしては、例えば特許文献１に記載されたものが知られている。このミシンが備えるミシンカバーは、縫製時にはミシン本体のベッド面に面一で連続して縫製作業面を拡大する補助テーブルとしての機能をなし、非使用時にはベッド部を除くミシン本体を被覆して本来のミシンカバーとしての機能をなす。
【特許文献１】特開平６−３４３７８７号公報
【発明の開示】
【発明が解決しようとする課題】
【０００３】
ところで、このミシンカバーは、硬質材料からなる箱形状を有しており（いわゆるハードケース）、このようなミシンカバーを備えるミシンは全体として大型化を余儀なくされる。
【０００４】
本発明の目的は、ミシンカバーを含めた全体としてより小型化可能なミシンを提供することにある。
【課題を解決するための手段】
【０００５】
上記問題点を解決するために、請求項１に記載の発明は、上面にベッド面が形成されたベッド部と、該ベッド部の基端部から立設された脚柱部と、該脚柱部から前記ベッド部の上方において該ベッド部の先端側に延びるアーム部とを有するミシン本体と、前記ベッド部に取り付けられ、該ベッド部の長手方向に正対して見たときの前記ミシン本体の両側面、上面及び下面を包囲するように被覆する板状のミシンカバーとを備え、前記ミシンカバーは、前記ベッド面の高さで折り返される折り部を有することを要旨とする。
【０００６】
請求項２に記載の発明は、請求項１に記載のミシンにおいて、前記ミシンカバーは、前記ベッド面の高さ分だけ該ベッド面から下方に傾斜するように折り返されることを要旨とする。
【０００７】
請求項３に記載の発明は、請求項１又は２に記載のミシンにおいて、前記ミシンカバーは、前記ミシン本体の一方の側面及び上面を被覆する第１カバー部と、前記ミシン本体の他方の側面を被覆する第２カバー部とを備え、前記折り部は、前記両第１及び第２カバー部に設けられていることを要旨とする。
【０００８】
請求項４に記載の発明は、請求項１〜３のいずれか1項に記載のミシンにおいて、前記ミシンカバーの形成する空間内に、裁縫道具箱を収容したことを要旨とする。
請求項５に記載の発明は、請求項１〜４のいずれか１項に記載のミシンにおいて、前記ベッド部の先端部には、前記ミシン本体の下面から上方に切り欠かれた切り欠き部が形成されていることを要旨とする。
【０００９】
（作用）
請求項１に記載の発明によれば、前記ミシンカバーは、前記ベッド面の高さで折り返される折り部を有する。従って、前記ミシンカバーは、前記折り部において折り返される（展開される）ことで、前記ベッド面の高さで該ベッド面に連続することになる。これにより、前記ミシンカバーは、縫製時には縫製作業面を拡大する補助テーブルとしての機能をなす。一方、前記ミシンカバーは、非使用時には前記ミシン本体の両側面、上面及び下面を包囲するように被覆して本来のカバーとしての機能をなす。これら２つの機能を併せ有するミシンカバーは板状であることから、ミシンカバーを含めたミシン全体としてより小型化が可能である。
【００１０】
請求項２に記載の発明によれば、展開された前記ミシンカバーは、前記ベッド面の高さ分だけ該ベッド面から下方に傾斜する縫製作業面を形成する。従って、特に柔らかい布を使用する際、縫製時の布送りがより円滑になり、作業性を向上させることができる。
【００１１】
請求項３に記載の発明によれば、前記ミシンカバーは、前記両第１及び第２カバー部が前記折り部においてそれぞれ折り返されることで、前記ベッド面の両側に連続することになる。従って、縫製作業面は、前記ベッド面の両側にバランスよく拡大されるため、作業性を向上させることができる。
【００１２】
請求項４に記載の発明によれば、前記ミシンカバーの形成する空間を有効利用して、前記裁縫道具箱を収容することができる。特に、前記ミシンカバーは、非使用時には前記ミシン本体の前後方向に開口する筒形状を呈している。従って、前記ミシン本体に並設された裁縫道具箱は、前記ミシンカバーを取り外さなくても（展開しなくても）その開口部から前後方向に抜き取ることができるため、利便性を向上させることができる。
【００１３】
請求項５に記載の発明によれば、前記ベッド部の先端部に切り欠き部が形成されることで、前記ミシンカバーを前記ミシン本体の下面に面一で展開すれば、該切り欠き部において該ミシンカバーとの間に間隙が形成される。従って、この間隙を利用することで、袖口やズボンの裾などの筒状の素材を容易に縫製し得るフリーアームミシンとしての機能を併せ付与することができる。
【発明の効果】
【００１４】
以上詳述したように、請求項１乃至５に記載の発明では、ミシンカバーを含めた全体としてより小型化可能なミシンを提供することができる。
【発明を実施するための最良の形態】
【００１５】
以下、本発明を具体化した一実施形態を図面に従って説明する。
図１及び図２は、それぞれ非使用時（収納状態）におけるミシン１０を示す斜視図及び正面図である。同図に示されるように、このミシン１０は、ミシン本体１１と、ミシンカバー１２と、ミシン本体１１による縫製用の道具を収納するための箱状のミシン道具箱１３（図２参照）と、手縫い用の道具を収納するための箱状の裁縫道具箱１４とを備えている。
【００１６】
図３に前記ミシンカバー１２を開けた状態で示したように、前記ミシン本体１１は、上面にベッド面２１ａが形成されたベッド部２１と、ベッド部２１の基端部（図１において右上側の端部）から立設された脚柱部２２と、脚柱部２２から前記ベッド部２１の上方においてベッド部２１の先端側に延びるアーム部２３とを有している。前記アーム部２３は、上面が前記ベッド部２１（ベッド面２１ａ）と平行になるように水平方向に延在している。また、前記ベッド部２１の先端部には、前記ミシン本体１１の下面から上方に切り欠かれた切り欠き部２１ｂが形成されている。この切り欠き部２１ｂは、前記ベッド面２１ａと平行になるように延びている。図示しないが、ベッド面２１ａには針板が配設され、アーム部２３からは針棒及びミシン針が上下運動可能に配設されている。
【００１７】
なお、図２に示すように、前記ベッド部２１の長手方向に正対して見たときのミシン本体１１の両側面１１ａ，１１ｂは、前記ベッド面２１ａ等に直交する方向に延びる平坦面となっている。つまり、前記ミシン本体１１は、正面から見て前記両側面１１ａ，１１ｂを含む略四角形状を呈している。そして、前記ミシン道具箱１３は、非使用時には前記ベッド部２１及びアーム部２３間に挟まれる態様で、前記ミシン本体１１よりも幅方向に突出しないように収納されている。
【００１８】
前記ミシンカバー１２は板状に形成されており、前記裁縫道具箱１４とともに前記ミシン本体１１の両側面１１ａ，１１ｂ、上面及び下面を包囲するように被覆する。つまり、図２に示すように、前記ミシンカバー１２の形成する空間Ｓ内に前記裁縫道具箱１４とともに前記ミシン本体１１が収容されている。詳述すると、前記裁縫道具箱１４は、非使用時には前記ミシン本体１１の幅方向に並設されている。この裁縫道具箱１４の非使用時における高さは、前記ミシン本体１１の高さと同等に設定されている。また、前記裁縫道具箱１４の非使用時における幅Ｗは、前記ベッド部２１の下面からベッド面２１ａまでの高さｈと同等に設定されている。
【００１９】
そして、前記ミシンカバー１２は、前記ミシン本体１１の一方の側面１１ａを被覆する第１側壁部１２ａと、前記裁縫道具箱１４の外側面を被覆する第２側壁部１２ｂと、これら第１及び第２側壁部１２ａ，１２ｂを下端で連絡して前記ミシン本体１１及び裁縫道具箱１４の下面を被覆する下壁部１２ｃと、前記第１側壁部１２ａの上端に連続して前記ミシン本体１１及び裁縫道具箱１４の上面を被覆する上壁部１２ｄと、同上壁部１２ｄに連続して前記第２側壁部１２ｂの上端部に重ね合わされる被せ蓋部１２ｅとを備えている。従って、前記第１側壁部１２ａ及び上壁部１２ｄを主体に第１カバー部が構成されている。また、裁縫道具箱１４を介して前記ミシン本体１１の他方の側面１１ｂを被覆する第２側壁部１２ｂを主体に第２カバー部が構成されている。
【００２０】
図１に示すように、前記ミシンカバー１２の中央部には、複数（図１では２つのみ図示）のベルト通し２６が固着されており、このベルト通し２６にはベルト２７が挿通されている。前記ベルト２７は、一方のベルト通し２６から引き出された一端の係止具２７ａに、他方のベルト通し２６から引き出された他端の係止片２７ｂが係止されることで環状に連結される。このベルト２７による締め付けにより、前記ミシン本体１１及び裁縫道具箱１４を被覆するミシンカバー１２の開放が防止されて、これらミシン本体１１及び裁縫道具箱１４が保持される。なお、前記ミシンカバー１２の上壁部１２ｄには、ミシン１０を携行するための手提げ部２８が取着されている。
【００２１】
ここで、図２に示すように、前記第１側壁部１２ａの下端には、前記ミシン本体１１の一方の側面１１ａ及び下面の角部に沿って屈曲される曲げ部Ｂ１が形成されている。また、前記第１側壁部１２ａには、前記ベッド面２１ａと同等の高さｈを有する折り部Ｆ１が形成されている。従って、前記第１側壁部１２ａは、この折り部Ｆ１において屈曲可能となっている。一方、前記第２側壁部１２ｂの下端には、前記裁縫道具箱１４の下面及び外側面の角部に沿って屈曲される曲げ部Ｂ２が形成されている。この曲げ部Ｂ２は、後述する縫製時の折り部Ｆ２として形成されている。また、前記下壁部１２ｃには、前記ミシン本体１１及び裁縫道具箱１４の境界部に対応して折り部Ｆ３が形成されている。従って、前記下壁部１２ｃは、この折り部Ｆ３において屈曲可能となっている。この折り部Ｆ３から曲げ部Ｂ１（折り部Ｆ２）までの距離は、前記幅Ｗ（即ち高さｈ）に一致する。
【００２２】
次に、縫製時における前記ミシンカバー１２による補助テーブルの作成態様について図４に基づき説明する。この補助テーブルの作成においては、前記折り部Ｆ１において前記第１側壁部１２ａを折り返し（展開し）、更に曲げ部Ｂ１から折り部Ｆ１までの間で同第１側壁部１２ａを前記ベッド部２１の一方の側面（１１ａ）に貼着する。この貼着は、例えば磁石やマジックテープ（登録商標）を用いて行う。これにより、前記ベッド面２１ａの幅方向一側（図４の左上側）に縫製作業面が拡大される。
【００２３】
また、前記折り部Ｆ３において前記下壁部１２ｃを前記ベッド部２１の他方の側面（１１ｂ）に沿うように折り曲げ、折り部Ｆ３から折り部Ｆ２（曲げ部Ｂ２）までの間で同下壁部１２ｃを前記ベッド部２１の他方の側面（１１ｂ）に貼着する。この貼着は、例えば磁石やマジックテープ（登録商標）を用いて行う。そして、前記折り部Ｆ２（曲げ部Ｂ２）において前記第２側壁部１２ｂを折り返す（展開する）。これにより、前記ベッド面２１ａの幅方向他側（図４の右下側）に縫製作業面が拡大される。
【００２４】
なお、前記第１及び第２側壁部１２ａ，１２ｂの展開によって拡大される縫製作業面は、前記ベッド面２１ａの高さｈ分だけ同ベッド面２１ａから先端に向かって下方に傾斜する。
【００２５】
さらに、図３に示したように、前記ミシンカバー１２を全展開させたとき、前記切り欠き部２１ｂにおいて前記ミシンカバー１２との間に間隙Ｃが形成される。従って、前記ミシン１０は、フリーアームミシンとして袖口やズボンの裾などの筒状の素材を容易に縫製できるようになっている。
【００２６】
以上詳述したように、本実施形態によれば、以下に示す効果が得られるようになる。
（１）本実施形態では、前記ミシンカバー１２は、前記ベッド面２１ａの高さｈで折り返される折り部Ｆ１，Ｆ２を有する。従って、前記ミシンカバー１２は、前記折り部Ｆ１，Ｆ２において折り返される（展開される）ことで、前記ベッド面２１ａの高さｈで同ベッド面２１ａに連続することになる。これにより、前記ミシンカバー１２は、縫製時には縫製作業面を拡大する補助テーブルとしての機能をなす。一方、前記ミシンカバー１２は、非使用時には前記ミシン本体１１の両側面１１ａ，１１ｂ、上面及び下面を包囲するように被覆して本来のカバーとしての機能をなす。これら２つの機能を併せ有するミシンカバー１２は板状であることから、例えば従来例の箱状のミシンカバーを備えたミシンに比べて全体としてより小型化が可能である。
【００２７】
また、展開されたミシンカバー１２は、前記ベッド面２１ａの高さｈ分だけ同ベッド面２１ａから先端に向かって下方に傾斜する縫製作業面を形成する。従って、特に柔らかい布を使用する際、縫製時の布送りがより円滑になり、作業性を向上させることができる。
【００２８】
（２）本実施形態では、前記ミシンカバー１２は、前記両第１及び第２カバー部１２ａ，１２ｂが前記折り部Ｆ１，Ｆ２においてそれぞれ折り返されることで、前記ベッド面２１ａの両側に連続することになる。従って、縫製作業面は、前記ベッド面２１ａの両側にバランスよく拡大されるため、作業性を向上させることができる。
【００２９】
（３）本実施形態では、前記ミシンカバー１２の形成する空間Ｓを有効利用して、前記裁縫道具箱１４を収容することができる。特に、前記ミシンカバー１２は、非使用時には前記ミシン本体１１の前後方向に開口する筒形状を呈している。従って、前記ミシン本体１１に並設された裁縫道具箱１４は、前記ミシンカバー１２を取り外さなくても（展開しなくても）その開口部から前後方向に抜き取ることができるため、手縫いなどにおける利便性を向上させることができる。
【００３０】
（４）本実施形態では、前記ミシン本体１１とともに前記裁縫道具箱１４を被覆する前記ミシンカバー１２は、同裁縫道具箱１４の下面及び外側面の角部において屈曲されることで曲げ部Ｂ２を有する。前記折り部Ｆ２は、本来のカバーの機能のために有する前記ミシンカバー１２の曲げ部Ｂ２が流用されることで、前記ミシンカバー１２の製造工数を低減することができる。
【００３１】
また、非使用時における前記裁縫道具箱１４の幅Ｗは、前記ミシン本体１１の下面からベッド面２１ａまでの高さｈと一致する。従って、例えば縫製時に展開したミシンカバー１２の下に前記裁縫道具箱１４を寝かせて敷けば、前記ベッド面２１ａに平行な縫製作業面が形成される。このように、状況に応じて水平な縫製作業面を形成し得ることで、縫製時の作業姿勢の自由度を増大することができる。
【００３２】
（５）本実施形態では、前記ベッド部２１の先端部に切り欠き部２１ｂが形成されることで、前記ミシンカバー１２を前記ミシン本体１１の下面に面一で展開すれば、同切り欠き部２１ｂにおいて前記ミシンカバー１２との間に間隙Ｃが形成される。従って、この間隙Ｃを利用することで、袖口やズボンの裾などの筒状の素材を容易に縫製し得るフリーアームミシンとしての機能を併せ付与することができる。
【００３３】
（６）本実施形態では、ミシン本体１１による縫製から手縫いまで、裁縫に必要な道具を１つにまとめることができる。特に、裁縫道具箱１４に手縫い用の道具をまとめたことで、手縫いの利便性を向上させることができる。
【００３４】
なお、上記実施形態は以下のように変更してもよい。
・前記実施形態において、ミシンカバーの展開による縫製作業面の拡大は、前記ベッド面２１ａの幅方向一側のみであってもよい。
【００３５】
・前記実施形態において、ミシンカバー１２は、縫製時にはベッド部２１に取り付けられるものの同ベッド部２１に対し着脱自在であってもよい。
・前記実施形態において、ミシンカバー１２の展開態様は一例である。
【００３６】
・前記実施形態において、裁縫道具箱１４には、ミシン本体１１による縫製用の道具を収納してもよい。
・前記実施形態において、非使用時におけるミシン本体１１と裁縫道具箱１４との幅方向の配置関係は互いに逆であってもよい。
【図面の簡単な説明】
【００３７】
【図１】本発明の一実施形態を示す斜視図。
【図２】同実施形態を示す正面図。
【図３】ミシンカバーを展開した状態を示す斜視図。
【図４】補助テーブルを作成した状態を示す斜視図。
【符号の説明】
【００３８】
１０…ミシン、１１…ミシン本体、１１ａ，１１ｂ…側面、１２…ミシンカバー、１２ａ…第１カバー部を構成する第１側壁部、１２ｂ…第２カバー部を構成する第２側壁部、１２ｄ…第１カバー部を構成する上壁部、１４…裁縫道具箱、２１…ベッド部、２１ａ…ベッド面、２１ｂ…切り欠き部、２２…脚柱部、２３…アーム部、Ｂ２…曲げ部、Ｃ…間隙、Ｆ１，Ｆ２…折り部。
【図１】
2006230773.tif 000003
【図２】
2006230773.tif 000004
【図３】
2006230773.tif 000005
【図４】
2006230773.tif 000006